(57)【要約】【課題】ワイヤハーネスの外装テープと電線群との隙間に浸入した水の排水性を高めると共に電線露出部の損傷を防止する。【解決手段】車両に配索されるワイヤハーネス１０の下端位置ではテープ巻き又はチューブを通さずに電線群１１を露出させ、この電線露出部Ａにヒンジ付きプロテクタ２０を取り付けており、該ヒンジ付きプロテクタ２０は底板部２１にヒンジ部２３を設け、該ヒンジ部２３を挟む両側部を上向き傾斜させて電線群１１に取り付け、かつ、該プロテクタ２０の下端部分に水抜き穴２５を設けていることを特徴とする。【選択図】図３
2010068666.tif 000002
【特許請求の範囲】
【請求項１】
車両に配索されるワイヤハーネスの下端位置を挟む両側部はワイヤハーネスの電線群にテープをハーフラップ巻きし又は樹脂製の丸チューブ又はコルゲートチューブからなるチューブを通して防水仕様としている一方、前記下端位置ではテープ巻き又はチューブを通さずに電線群を露出させ、
前記電線群を露出させた領域にヒンジ付きプロテクタを取り付け、
前記ヒンジ付きプロテクタは底板部にヒンジ部を設け、該ヒンジ部を挟む両側部を上向き傾斜させて前記電線群に取り付け、かつ、該プロテクタの下端部分に水抜き穴を設けていることを特徴とするワイヤハーネスの排水構造。
【請求項２】
前記プロテクタは底板部と側板部を備え、該底板部に前記ヒンジ部を設けていると共に、ヒンジ部が位置する部分では前記側板部を分割し、かつ、前記水抜き穴の下方に隙間をあけて水抜き穴を覆う蓋部を水抜き穴の一端から突設している請求項１に記載のワイヤハーネスの排水構造。
【請求項３】
前記プロテクタは一体成形の樹脂成形品からなり、前記底板部の長さ方向の中央に１個の薄肉ヒンジ部を設け、該薄肉ヒンジ部を含めて前記水抜き穴を設けている請求項１または請求項２に記載のワイヤハーネスの排水構造。
【請求項４】
前記プロテクタは一体成形の樹脂成形品からなり、前記底板部の長さ方向の中間部に間隔をあけて少なくとも２個の薄肉ヒンジ部を設け、該薄肉ヒンジ部に挟まれた底板部に前記水抜き穴を設けている請求項１または請求項２に記載のワイヤハーネスの排水構造。
【請求項５】
前記プロテクタは前記底板部の幅方向の一方側に前記側板部を突設した断面Ｌ形状、底板部の両側に前記側板部を突設した断面凹形状、または該断面凹形状としたプロテクタに蓋部を取り付けて露出した電線群の全面を覆う形状としている請求項１乃至請求項４のいずれか１項に記載のワイヤハーネスの排水構造。
【請求項６】
請求項１乃至請求項５に記載のワイヤハーネスの排水構造の形成方法であって、
前記ヒンジ部を備えたプロテクタの底板部を平板状に展開しておき、
該プロテクタを前記ワイヤハーネスの電線露出部に配置し、前記プロテクタの水抜き穴をワイヤハーネスの下端位置に位置させた状態で、前記電線露出部の傾斜形状に対応させて前記ヒンジ部を支点として両側部を屈曲させ、該両側部の先端を前記ワイヤハーネスに巻き付けたテープ又は外装したチューブ内部の電線群に固定しているワイヤハーネスの排水構造の形成方法。
【発明の詳細な説明】
【技術分野】
【０００１】
本発明は、ワイヤハーネスの排水構造に関し、詳しくは、ワイヤハーネスの電線群と外装部材との隙間から電線間に浸入した水を外部へと排水する構造に関する。
【背景技術】
【０００２】
従来より、車両に配索されるワイヤハーネスは、塩化ビニルテープ等でハーフラップ巻きしたり、樹脂製のビニルチューブや硬質ビニルチューブからなる丸チューブやコルゲートチューブを取り付けて外装して、電線の保持、拘束、あるいは、接触や擦れなどの外部干渉からの電線保護を図っている。
【０００３】
一方、図１５に示すように、エンジンルーム等の被水領域において、ワイヤハーネスＷの上下方向に配線する部分Ｗ−１におけるテープ２の巻端箇所Ｘ１、ワイヤハーネスの分岐点Ｘ２、コネクタの上向き開口部Ｘ３などから水滴３が電線１の線間に浸水することがある。この場合、線間に浸水した水滴３はハーフラップ巻きしたテープ２により外部に排出できずに溜まり、毛細管現象によりコネクタ４にまで達する場合がある。このようにコネクタ４に浸水が発生するとショートを生じる危険があり、かつ、浸水領域にスプライス部がある場合は、スプライス部に錆を発生させ、品質低下を招くおそれもある。
【０００４】
前記問題に対して、特開昭６０−９６１２２号（特許文献１）では図１６に示す排水構造を提案している。これは、ワイヤハーネスＷ／Ｈのエンジンルーム側の車体パネル５の近傍部分にＵ字状に屈曲させてプロテクタ６とテープ７巻きで固定し、該屈曲部８を下向きに突出させて配置する一方、該屈曲部８の先端にテープ巻きをせずに電線ｗを露出させた排水部９を設けたもので、これにより、ワイヤハーネスＷ／Ｈ内の電線ｗとテープ７との隙間から浸入した水を前記排水部９より排出するようにしている。
【０００５】
しかしながら、前記排水部９は、外装材であるテープ７を巻き付けない電線露出部であるため、車両走行中にはね上げた小石との衝突や、車体パネルのエッジとの接触、あるいは、他部品による干渉や挟み込み等の外力から電線を保護することができず、該露出部の電線が損傷するおそれがある。
【０００６】
【特許文献１】特開昭６０−９６１２２号公報
【発明の開示】
【発明が解決しようとする課題】
【０００７】
本発明は前記問題に鑑みてなされたもので、ワイヤハーネスの電線群と外装材との隙間から入り込み、毛細管現象によって内部へと浸入していく水を取り除くワイヤハーネスの排水構造において、優れた排水性を備えると共に電線露出部の損傷を防止することを課題としている。
【課題を解決するための手段】
【０００８】
前記課題を解決するために、本発明は、車両に配索されるワイヤハーネスの下端位置を挟む両側部はワイヤハーネスの電線群にテープをハーフラップ巻きし又は樹脂製の丸チューブ又はコルゲートチューブからなるチューブを通して防水仕様としている一方、前記下端位置ではテープ巻き又はチューブを通さずに電線群を露出させ、
前記電線群を露出させた領域にヒンジ付きプロテクタを取り付け、
前記ヒンジ付きプロテクタは底板部にヒンジ部を設け、該ヒンジ部を挟む両側部を上向き傾斜させて前記電線群に取り付け、かつ、該プロテクタの下端部分に水抜き穴を設けていることを特徴とするワイヤハーネスの排水構造を提供している。
【０００９】
前記排水構造は、前記電線露出部に取り付けるプロテクタにヒンジ部を設けているため、該ヒンジ部を挟む両側部を上向き傾斜させると共に、その傾斜角度を自由に変えて電線露出部の屈曲形状に対応させることができ、ワイヤハーネスの排水ポイントとなる最も低い下端位置とプロテクタの下端位置とを容易に位置合わせすることができる。また、プロテクタの前記下端位置に水抜き穴を設けているため、ワイヤハーネスの電線群とテープとの間に浸入した水を溜めることなく、前記下端位置の水抜き穴から効果的に外部へと排出することができる。
さらに、前記プロテクタにより、前記電線露出部の少なくとも外力干渉を受けやすい面が外部に露出しないように覆うことができるため、車両走行中にはね上げた小石や、車体パネル、他部品等との干渉から電線を保護でき、電線損傷を防止することができる。
【００１０】
前記プロテクタは底板部と側板部を備え、該底板部に前記ヒンジ部を設けていると共に、ヒンジ部が位置する部分では前記側板部を分割し、かつ、前記水抜き穴の下方に隙間をあけて水抜き穴を覆う蓋部を水抜き穴の一端から突設している。
【００１１】
このように、プロテクタに底板部と側板部を設けることにより、前記電線露出部を多面的に覆うことができ、電線保護性能を高めることができる。また、側板部は前記ヒンジ部が位置する部分で分割しているため、ヒンジ部を介したプロテクタの屈曲作業をスムーズに行うことができ、排水用の前記下端位置を容易に設定することができる。
【００１２】
また、前記水抜き穴に前記蓋部を設けることにより、該蓋部と水抜き穴との隙間からの排水性を確保しながらも、水抜き穴から小石等の異物がプロテクタ内に侵入することを該蓋部によって防ぐことができ、電線損傷をより確実に防止できる。
【００１３】
前記側板部には、ヒンジ部を挟む両側部を一定の傾斜角度で固定するための係止構造を設けてもよい。
【００１４】
前記プロテクタは一体成形の樹脂成形品からなり、前記底板部の長さ方向の中央に１個の薄肉ヒンジ部を設け、該薄肉ヒンジ部を含めて前記水抜き穴を設けている。
このように、底板部に１個の薄肉ヒンジ部を設けるときは、該薄肉ヒンジ部の位置がプロテクタの最も低い最下端位置となるため、該最下端位置に水抜き穴を設けることにより、確実で安定した排水性を常時確保することができる。
【００１５】
あるいは、前記プロテクタは一体成形の樹脂成形品からなり、前記底板部の長さ方向の中間部に間隔をあけて少なくとも２個の薄肉ヒンジ部を設け、該薄肉ヒンジ部に挟まれた底板部に前記水抜き穴を設けてもよい。
この場合、前記水抜き穴を設ける底板部は円弧状に下方に湾曲させ、この円弧状の最下端位置に水抜き穴を形成して排水性を高めることが好ましい。
また、プロテクタが底板部と側板部を備えている場合は、前記水抜き穴は、底板部の幅方向中央に設けると共に、底板部の前記側板部との境界部にも設けることが好ましい。これにより、底板部と側板部との境界部分の隅部に水が溜まることを防止できる。
【００１６】
前記プロテクタは前記底板部の幅方向の一方側に前記側板部を突設した断面Ｌ形状、底板部の両側に前記側板部を突設した断面凹形状、または該断面凹形状としたプロテクタに蓋部を取り付けて露出した電線群の全面を覆う形状としている。
【００１７】
さらに、本発明は、前記ワイヤハーネスの排水構造の形成方法であって、
前記ヒンジ部を備えたプロテクタの底板部を平板状に展開しておき、
該プロテクタを前記ワイヤハーネスの電線露出部に配置し、前記プロテクタの水抜き穴をワイヤハーネスの下端位置に位置させた状態で、前記電線露出部の傾斜形状に対応させて前記ヒンジ部を支点として両側部を屈曲させ、該両側部の先端を前記ワイヤハーネスに巻き付けたテープ又は外装したチューブ内部の電線群に固定しているワイヤハーネスの排水構造の形成方法も提供している。
【００１８】
プロテクタの両側部先端をワイヤハーネスに固定する手段には、バンド、あるいはテープ巻きを用いることができる。
【発明の効果】
【００１９】
上述したように、本発明によれば、プロテクタにヒンジ部を設け、該ヒンジ部を挟む両側部を上向き傾斜させて電線露出部に取り付けることにより、前記傾斜角度を自由に変えてプロテクタをワイヤハーネスの屈曲形状に沿わせることができ、プロテクタの下端位置をワイヤハーネスの排水ポイントとなる下端位置に容易に配置することができる。また、プロテクタの下端位置に水抜き穴を設けているため、電線群とテープとの間または前記チューブ内に浸入した水を溜めることなく、前記水抜き穴から常時効果的に排水することができる。
【００２０】
また、前記プロテクタにより、電線露出部のうち外部干渉を受けやすい下面側や側面を外部に露出しないように覆うことができるため、はね上げた小石や車体パネルとの干渉から電線露出部を保護することができる。
さらに、前記水抜き穴の下方に隙間をあけて蓋部を設けることにより、該水抜き穴からの排水性を確保しながらも、該水抜き穴からプロテクタ内に異物が侵入することを防止して電線露出部の損傷を防ぐことができる。
【発明を実施するための最良の形態】
【００２１】
以下、本発明の実施形態を図面を参照して説明する。
いずれの実施形態も、図１に示すように、自動車のエンジンルームに配索されるワイヤハーネス１０の排水構造に本発明を適用している。ワイヤハーネス１０は、自動車のエンジンルームＸと車室Ｙとを仕切る車体パネル８０の貫通穴８１に取り付けられるグロメット８２に挿通し、該グロメット８２の取付位置近傍のエンジンルームＸ側に排水用の電線露出部Ａを形成している。
前記電線露出部Ａ以外の領域、即ち、電線露出部Ａを挟む両側部はテープ１５でハーフラップ巻きして防水仕様としている。テープ１５は粘着テープからなる。
【００２２】
また、いずれの実施形態も、ワイヤハーネス１０は、図３にも示すように、前記電線露出部Ａに最も低い位置Ｂ（以下「最下端位置Ｂ」という）が配置されるように下方に屈曲している。
【００２３】
図１乃至図４に本発明の第一実施形態を示し、ワイヤハーネス１０の電線露出部Ａに断面Ｌ形状のプロテクタ２０を取り付けている。
【００２４】
前記プロテクタ２０は、図２（Ａ）（Ｂ）に示すように、底板部２１と側板部２２とからなるＬ字形状の樹脂成形品からなり、底板部２１に水抜き穴蓋部２６とを設けている。該プロテクタ２０の長さは、前記ワイヤハーネス１０の電線露出部Ａとその両側の前記ハーフラップ巻き部分にかけて配置される長さとしている。該プロテクタ２０の底板部２１は、長さ方向の中央に設けた１個の薄肉ヒンジ部２３を介して連結した左右の２枚の底板部２１Ａ、２１Ｂからなる。側板部２２は各底板部２１Ａ、２１Ｂの幅方向の一方側より立設した側板部２２Ａ、２２Ｂからなり、これら２枚の側板部２２Ａ、２２Ｂは前記薄肉ヒンジ部２３の位置で分割している。該薄肉ヒンジ部２３を支点として底板部２１を屈曲すると、一方の側板部２２Ｂの外面側に他方の側板部２２Ａの分割端側が重なって摺接する構成としている。
【００２５】
前記底板部２１には、前記薄肉ヒンジ部２３を設けた位置の幅方向中央部に、該薄肉ヒンジ部２３を分断して両側の底板部２１Ａ、２１Ｂに切り込む長方形状の水抜き穴２５を設けている。
【００２６】
前記水抜き穴蓋部２６は、前記水抜き穴２５の長さ方向一端から突設しており、詳しくは、図４にも示すように、一方の底板部２１Ａから下方に突設した基部２６ａの先端を屈曲して底板部２１と略平行に蓋本体部２６ｂを延設している。該蓋本体部２６ｂは、水抜き穴２５を下方から覆う一方、該水抜き穴２５との間に排水用隙間Ｓ１をあけ、かつ、該蓋本体部２６ｂの先端を自由端として、水抜き穴２５の排水性を確保している。この蓋本体部２６ｂの長さ方向中央部には、前記薄肉ヒンジ部２３に対応する薄肉ヒンジ部２６ｃを設け、底板部２１の屈曲による水抜き穴２５の屈曲形状に沿って蓋本体部２６ｂも前記薄肉ヒンジ部２６ｃによって屈曲できるようにしている。
具体的には、前記水抜き穴蓋部２６は、前記水抜き穴２５の部分の底板部２１Ａ、２１Ｂおよび薄肉ヒンジ部２３を切り起こして形成している。
【００２７】
前記プロテクタ２０のワイヤハーネス１０への取り付けに際しては、まず、前記電線露出部Ａにプロテクタ２０を配置し、図３に示すように、前記水抜き穴２５をワイヤハーネス１０の最下端位置Ｂに位置させる。この状態で、電線露出部Ａの屈曲形状に対応させて前記薄肉ヒンジ部２３を支点として両側の底板部２１Ａ、２１Ｂを上向き傾斜するように屈曲させ、該両側の底板部２１Ａ、２１Ｂの先端を、ワイヤハーネス１０の前記テープ１５によるハーフラップ巻き部分にテープ１６で巻き付けて固定する。
【００２８】
其の際、図５（Ａ）（Ｂ）に示すように、底板部２１と側板部２２とからなるＬ字形状としているため、ワイヤハーネス１０の径が大小相違してもテープ１６でワイヤハーネス１０と底板部２１と側板部２２とに巻き付けて取り付けることができ、ワイヤハーネス１０の径が相違しても共用して用いることができる。
【００２９】
このように、前記構成のプロテクタ２０をワイヤハーネス１０の前記電線露出部Ａに取り付けると、図４に示すように、ワイヤハーネス１０のテープ１５と電線群１１との間の隙間から浸入してくる水が溜まる位置である最下端位置Ｂから水抜き穴２５を通じて外部へ効果的に排水できる。また、電線露出部Ａのうち外力が干渉しやすい下面および一方側面をプロテクタ２０で覆い、外部に露出させないため、電線露出部Ａの電線損傷も防止することができる。
また、前記水抜き穴２５を前記水抜き穴蓋部２６で覆う構成としているため、該水抜き穴２５を通じて異物がプロテクタ２０内に浸入して電線を損傷することも防止できる。
【００３０】
さらに、前記プロテクタ２０は、薄肉ヒンジ部２３で連結した２枚の底板部２１Ａ、２１Ｂで底板部２１を形成すると共に、前記側板部２２Ａ、２２Ｂを薄肉ヒンジ部２３の位置で分割しているため、該薄肉ヒンジ部２３を支点としてプロテクタ２０を容易に屈曲でき、ワイヤハーネス１０の屈曲形状と水が溜まる最下端位置Ｂとを安定的に保持できる。また、前記薄肉ヒンジ部２３の位置に水抜き穴２５を形成していることにより、該水抜き穴２５を、屈曲したプロテクタ２０の最下端に常に位置させることができ、確実で安定した排水性を常時機能させることができる。
【００３１】
図６に、第一実施形態の変形例１に係るプロテクタ２０−１を示す。
該プロテクタ２０−１の２枚の側板部２２Ａ、２２Ｂのうち、一方の側板部２２Ｂの分割端側の外面に、薄肉ヒンジ部２３を中心とする円弧上に所要間隔をあけて複数の小さな係止爪２７ａを突設し、他方の側板部２２Ａの分割端側には、前記係止爪２７ａを挿入係止する１つ係止穴２７ｂを設けている。
【００３２】
これにより、図６（Ｂ）に示すように、所要位置の係止爪２７ａを前記係止穴２７ｂに係止ロックして、プロテクタ２０−１を所要角度の屈曲形状で固定することができるため、ワイヤハーネス１０とプロテクタ２０−１の屈曲状態の保持と、水抜き穴２５の最下端位置Ｂへの配置を一層安定させることができる。
【００３３】
図７に、第一実施形態の変形例２に係るプロテクタ２０−２を示す。
該変形例２では、底板部２１の長さ方向中央に１個の薄肉ヒンジ部２３Ａを形成すると共に、該薄肉ヒンジ部２３Ａから間隔をあけた両側にも薄肉ヒンジ部２３Ｂ、２３Ｃを形成している。底板部２１は、これら計３箇所の薄肉ヒンジ部２３Ａ〜２３Ｃを介して計４枚の底板部２１Ａ〜２１Ｄを連結して形成している。側板部２２も、前記４枚の底板部２１Ａ〜２１Ｄに対応して、分割された４枚の側板部２２Ａ〜２２Ｄで構成している。水抜き穴２５は、中央の薄肉ヒンジ部２３Ａの位置に形成している。
【００３４】
このように、３箇所に薄肉ヒンジ部２３Ａ〜２３Ｃを設けることにより、プロテクタ２０−２とワイヤハーネス１０を鋭角に傾斜させることができるため、ワイヤハーネス１０の電線間に浸入した水が排水ポイントとなる最下端位置Ｂに一層溜まりやすくなり、優れた排水性を備えることができる。
【００３５】
図８乃至図１１に、本発明の第二実施形態を示す。
第２実施形態では、ワイヤハーネス１０の電線露出部Ａを挟む両側はコルゲートチューブＣＴで外装している。ワイヤハーネス１０の電線露出部Ａには断面Ｌ形状のプロテクタ３０を取り付け、該プロテクタ３０の両側先端を前記コルゲートチューブＣＴの端部より内側に位置させると共に、該プロテクタ３０の両端部をコルゲートチューブＣＴ内部で電線群１１にテープ（図示せず）で巻き付け固定している。
【００３６】
前記プロテクタ３０は、図９および図１０に示すように、底板部３１と側板部３２と水抜き穴蓋部３７とを備え、樹脂で一体成形している。前記底板部３１は、前記ワイヤハーネス１０の電線露出部Ａとその両側の前記コルゲートチューブＣＴの端部内側にかけて配置される長さとし、その長さ方向の中間部に間隔をあけて設けた２個の薄肉ヒンジ部３３を介して連結した３枚の底板部３１Ａ、３１Ｂ、３１Ｃからなる。前記２個の薄肉ヒンジ部３３に挟まれる位置に配置される中央底板部３１Ａは、前記長さ方向において下方に湾曲しているが、両側の底板部３１Ｂ、３１Ｃは平板からなる。
【００３７】
前記側板部３２は、各底板部３１Ａ、３１Ｂ、３１Ｃの幅方向一方側より立設した３枚の側板部３２Ａ〜３２Ｃからなる。これら３枚の側板部３２Ａ〜３２Ｃは連結せず、前記２箇所の薄肉ヒンジ部３３の位置で分割し、該薄肉ヒンジ部３３を支点として底板部３１を屈曲したときに、両側の側板部３２Ｂ、３２Ｃの分割端側が、それぞれ中央側板部３２Ａの外面側に重合して摺接するようにしている。
【００３８】
前記中央底板部３１Ａの前記湾曲形状の最下端部には、幅方向中央部に中央水抜き穴３５を設けると共に、側板部３２Ａとの境界部分に隅部水抜き穴３６を設けている。中央水抜き穴３５と隅部水抜き穴３６は、いずれも長方形状としているが、隅部水抜き穴３６は中央水抜き穴３５よりも細幅の小穴としている。
【００３９】
前記水抜き穴蓋部３７は、前記中央水抜き穴３５の長さ方向両端から突設しており、詳しくは、該中央水抜き穴３５の両端の中央底板部３１Ａから一対の基部３７ａを下方に突設し、該基部３７ａの先端を蓋本体部３７ｂで連結してなる。この水抜き穴蓋部３７は、図１０に示すように、中央水抜き穴３５を下方から覆う一方、該水抜き穴３５との間に排水用隙間Ｓ２をあけることによって、中央水抜き穴３５の排水性を確保している。
【００４０】
本実施形態においても、プロテクタ３０は、薄肉ヒンジ部３３によってワイヤハーネス１０の屈曲形状に沿う形状に容易に屈曲してワイヤハーネス１０に取り付けることができる。よって、図９に示すように、ワイヤハーネス１０の屈曲形状および排水ポイントとなる最下端位置Ｂを安定的に保持することができると共に、ワイヤハーネス１０の電線露出部Ａの下面側と一方側面の大部分を覆って電線損傷を防止することができる。
【００４１】
また、屈曲形状におけるプロテクタ３０の最下端位置には、中央水抜き穴３５のみでなく、隅部水抜き穴３６も形成しているため、図１１に示すように、プロテクタ３０の僅かな傾きによって中央底板部３１Ａと中央側板部３２Ａとの境界の隅部分が最下端部となってしまう場合でも、該隅部分に溜まる水を前記隅部水抜き穴３６によって排水することができる。
【００４２】
図１２および図１３に本発明の第三実施形態を示す。
ワイヤハーネス１０の電線露出部Ａに断面凹形状のプロテクタ３０−１を取り付けている。
プロテクタ３０−１は、側板部３２を底板部３１の幅方向両側より立設し、ワイヤハーネス１０を下面側と両側面から覆う構成としている。また、中央底板部３１Ａには、幅方向中央に１個の中央水抜き穴３５を形成すると共に、隅部水抜き穴３６を幅方向両側に計２個設けている。その他の構成は前記第二実施形態と同一構成であるため、同一符合を付して説明を省略する。
【００４３】
前記プロテクタ３０−１をワイヤハーネス１０に取り付けると、ワイヤハーネス１０の電線露出部Ａを下面側と両側面から覆い、下面側と左右両側面のいずれからの外力干渉からも電線を保護することができるため、ワイヤハーネス１０の配索設計の自由度を高めることができる。
また、隅部水抜き穴３６を中央底板部３１Ａの幅方向両側に設けているため、プロテクタ３０−１が左右いずれの方向に傾いても、中央底板部３１Ａと中央側板部３２Ａとの境界部分の隅部に溜まる水を排水することができる。
【００４４】
図１４に、本発明の第四実施形態に係るプロテクタ３０−２を示す。
該プロテクタ３０−２は、電線露出部Ａの上面側を覆う蓋部３９を備えている。その他の構成は前記プロテクタ３０−１と同一構成であるため、同一符合を付して説明を省略する。
【００４５】
具体的には、プロテクタ３０−２の幅方向一方側の各側板部３２Ａ〜３２Ｃの上端に、薄肉ヒンジ部３８Ａ〜３８Ｃを介して開閉自在に蓋部材３９Ａ〜３９Ｃを連結している。中央の蓋部材３９Ａは、中央側板部３２Ａの全長にわたって連結しているが、両側の蓋部材３９Ｂ、３９Ｃは、両側の側板部３２Ｂ、３２Ｃの分割端側の所要寸法を除く部分にそれぞれ連結し、プロテクタ３０−２の屈曲状態においても各蓋部材３９Ａ〜３９Ｃが互いに干渉しあわないようにしている。各蓋部材３９Ａ〜３９Ｃの開閉端側には、ロック爪４０Ａ〜４０Ｃを突設している。
また、幅方向他方側の各側板部３２Ａ〜３２Ｃの外面には、前記ロック爪４０Ａ〜４０Ｃを挿入係止する被ロック枠部４１Ａ〜４１Ｃを突設している。
【００４６】
なお、本発明は前記実施形態に限定されるものではない。
本発明に係る排水構造は、自動二輪車に配索されて、本体電源系等の配線とハンドル回りのヘッドライト、フラッシャ、表示パネル等の電装品とを接続するワイヤハーネスの排水構造に適用してもよく、その場合、断面Ｌ形状のプロテクタ２０、２０−１、２０−２の側板部２２、およびプロテクタ３０の側板部３２は、外力干渉を受けやすい自動二輪車の外面側に設定することが好ましい。
【図面の簡単な説明】
【００４７】
【図１】本発明の第一実施形態に係る排水構造を備えたワイヤハーネスを車体に配線した状態を示す要部破断斜視図である。
【図２】図１に示すプロテクタを示し、（Ａ）は下面側斜視図、（Ｂ）は展開状態の上面側斜視図である。
【図３】図１の要部拡大斜視図である。
【図４】第一実施形態に係る排水構造を示す断面説明図である。
【図５】（Ａ）（Ｂ）はプロテクタに径の相違するワイヤハーネスをテープ巻きで取り付けている状態を示す断面図である。
【図６】第一実施形態の変形例１に係るプロテクタの要部を示し、（Ａ）は展開状態を示す拡大斜視図、（Ｂ）は屈曲状態を示す拡大斜視図である。
【図７】第一実施形態の変形例２に係るプロテクタを示す斜視図である。
【図８】本発明の第二実施形態に係る排水構造を備えたワイヤハーネスを車体に配線した状態を示す要部破断斜視図である。
【図９】図８の要部拡大斜視図である。
【図１０】図８に示すプロテクタの上面側斜視図である。
【図１１】図９に示す隅部水抜き穴から排水する例を示す説明断面図である。
【図１２】本発明の第三実施形態に係るプロテクタを示す斜視図である。
【図１３】図１２に示すプロテクタをワイヤハーネスに取り付けた状態を示す断面図である。
【図１４】本発明の第四実施形態に係るプロテクタを示す斜視図である。
【図１５】ワイヤハーネスへの水の浸入経路を示す斜視図である。
【図１６】従来例を示す図である。
【符号の説明】
【００４８】
１０  ワイヤハーネス
２０、２０−１、２０−２、３０、３０−１、３０−２  プロテクタ
２１、３１  底板部
２１Ａ〜２１Ｄ、３１Ａ〜３１Ｃ  底板部
２２、３２  側板部
２２Ａ〜２２Ｄ、３２Ａ〜３２Ｃ  側板部
２３、２３Ａ〜２３Ｃ、３３  薄肉ヒンジ部
２５、３５、３６  水抜き穴
２６、３７  水抜き穴蓋部
Ａ  電線露出部  
Ｂ  最下端位置
【図１】
2010068666.tif 000003
【図２】
2010068666.tif 000004
【図３】
2010068666.tif 000005
【図４】
2010068666.tif 000006
【図５】
2010068666.tif 000007
【図６】
2010068666.tif 000008
【図７】
2010068666.tif 000009
【図８】
2010068666.tif 000010
【図９】
2010068666.tif 000011
【図１０】
2010068666.tif 000012
【図１１】
2010068666.tif 000013
【図１２】
2010068666.tif 000014
【図１３】
2010068666.tif 000015
【図１４】
2010068666.tif 000016
【図１５】
2010068666.tif 000017
【図１６】
2010068666.tif 000018